(57)【要約】本発明は、色の調節を可能にする投射型の映像表示デバイスの分野及びこのような色の調節のための方法に関する。そのデバイスは、白色光の光束を放出するための光源（１）、白色光を、赤色、青色、及び緑色の光の、三色の光に分離するための有色の光を分離する手段（２ａ、２ｂ）、前記有色の光を分離する手段（２ａ、２ｂ）からの光束に含まれる光を変調する及び映像を生じさせるための光弁（３Ｒ、３Ｇ、３Ｂ）、変調された光束を組み合わせるための有色の光を組み合わせる手段（４）、並びに、組み合わせられた光束をスクリーンに投射するための投射光学手段（５）を含む。少なくとも部分的に、前記白色光の光束の光路へ挿入可能な且つその光路から回収可能な、赤色、青色、又は緑色の光のいずれか一つを選択的に通過させると共に選択的に反射させる特性を有する少なくとも一つの二色性フィルター（１０、１０ａ、１０ｂ、１０ｃ）が、配置され、組み合わせられた光束の色を調節するための手段を提供する。
2006510928.tif 000002
【特許請求の範囲】
【請求項１】
一つの方向に白色光の光束を放出する光源、前記光束に含まれる光を変調すると共に映像を生じさせる少なくとも一つの光弁を含む変調する手段、及びスクリーンに前記変調された光束を投射する投射光学手段を含む投射型映像表示デバイスであって、
少なくとも部分的に、前記白色光の光束の光路へ挿入可能な及び前記光路から回収可能な、赤色、青色、又は緑色の光のいずれか一つを選択的に通過させると共に選択的に反射させる特性を有する少なくとも一つの二色性フィルターが、配置される、投射型映像表示デバイス。
【請求項２】
当該投射型映像表示デバイスは、前記光源からの白色光を、赤色、青色、及び緑色の光の三色の光に分離する有色の光を分離する手段をさらに含み、
前記変調する手段は、前記有色の光を分離する手段からの光束に含まれる光を変調すると共に映像を生じさせる光弁を含み、
当該投射型映像表示デバイスは、前記変調する手段によって変調された後の変調された光束を組み合わせる有色の光を組み合わせる手段、及び、前記有色の光を組み合わせる手段によって得られる、組み合わせられた光束を前記スクリーンに投射する前記投射光学手段を含む、請求項１に記載の投射型映像表示デバイス。
【請求項３】
当該投射型映像表示デバイスは、前記白色光の光束の光路に配置された積分器光学部品をさらに含み、
前記単数又は複数のフィルターは、前記積分器光学部品の近傍に配置される、請求項１に記載の投射型映像表示デバイス。
【請求項４】
一つのフィルターは、それぞれ、赤色、青色、及び緑色の光のいずれか一つを選択的に通過させると共に選択的に反射させるために、提供される、請求項１に記載の投射型映像表示デバイス。
【請求項５】
各々のフィルターは、同時に、異なる側からの前記白色光の光束の光路へ挿入可能である及び前記光路から回収可能であるように配置された少なくとも二つの部材で構成される、請求項１に記載の投射型映像表示デバイス。
【請求項６】
各々のフィルターは、前記白色光の光束の光路へ十分に挿入可能であるように配置され、且つ、
各々のフィルターは、赤色、青色、若しくは緑色の光のいずれか一つ又はこれらの色の光の二つ以上の任意の組み合わせを反射させる領域によって囲まれた中央の白色光の透過領域を含む、請求項１に記載の投射型映像表示デバイス。
【請求項７】
前記変調する手段は、二個の光弁を含む、請求項１に記載の投射型映像表示デバイス。
【請求項８】
前記変調する手段は、三個の光弁を含む、請求項１に記載の投射型映像表示デバイス。
【請求項９】
前記変調する手段は、マイクロレンズアレイを含む透過型の光弁を含む、請求項１に記載の投射型映像表示デバイス。
【請求項１０】
前記変調する手段は、マイクロカラーフィルターパターンを含む透過型の光弁を含む、請求項１に記載の投射型映像表示デバイス。
【請求項１１】
前記変調する手段は、異なる色の光で時間的に連続して照明されるように配置された光弁を含む、請求項１に記載の投射型映像表示デバイス。
【請求項１２】
前記変調する手段は、光弁を含み、
前記光弁は、前記光弁にわたって掃引する着色した光のスポットによって照明されるように配置される、請求項１に記載の投射型映像表示デバイス。
【請求項１３】
前記変調する手段は、光弁を含み、
前記光弁は、前記光弁の異なるピクセルに異なる色の光を集束させるように配置された光学素子の配列を含む請求項１に記載の投射型映像表示デバイス。
【請求項１４】
一つの方向に白色光の光束を放出する光源、前記光束に含まれる光を変調すると共に映像を生じさせる少なくとも一つの光弁を含む変調する手段、及びスクリーンに前記変調された光束を投射する投射光学手段を含む投射型映像表示デバイスの色の調節の方法であって、
当該方法は、赤色、青色、又は緑色の光のいずれか一つを選択的に通過させると共に選択的に反射させる特性を有する少なくとも一つの二色性フィルターを、
それが、少なくとも部分的に、前記白色光の光束の光路へ挿入可能であると共に前記光路から回収可能であるように、提供するステップを含む、方法。
【請求項１５】
当該方法は、前記光源からの白色光を、赤色の光、青色の光、及び緑色の光の三色の光に分離する有色の光を分離する手段を提供するステップをさらに含み、変調する手段は、前記有色の光を分離する手段からの光束に含まれる光を変調すると共に映像を生じさせる光弁を含み、当該方法は、前記変調する手段によって変調された後の変調された光束を組み合わせる有色の光を組み合わせる手段、及び、前記有色の光を組み合わせる手段によって得られる、組み合わせられた光束をスクリーンに投射する投射光学手段を含む、請求項１４に記載の方法。
【請求項１６】
当該方法は、前記白色光の光束の光路に積分器光学部品を提供すると共に前記単数又は複数のフィルターを、前記積分器光学部品の近傍に配置するステップをさらに含む、請求項１４に記載の方法。
【請求項１７】
それぞれ、赤色、青色、及び緑色の光のいずれか一つを選択的に通過させると共に選択的に反射させる一つのフィルターを提供するステップをさらに含む、請求項１４に記載の方法。
【請求項１８】
当該方法は、フィルターを提供するステップをさらに含み、
前記フィルターの各々は、それらが、同時に、異なる側からの前記白色光の光束の光路へ挿入可能である及び前記光路から回収可能であるような方式で、配置された少なくとも二つの部材で構成される、請求項１４に記載の方法。
【請求項１９】
当該方法は、前記白色光の光束の光路へ十分に挿入可能であるように配置されるフィルターを提供するステップをさらに含み、
各々のフィルターは、赤色、青色、若しくは緑色の光のいずれか一つ又はこれらの色の光の二つ以上の任意の組み合わせを反射させる領域によって囲まれた中央の白色光の透過領域を含む、請求項１４に記載の方法。
【請求項２０】
二個の光弁を含む変調する手段を提供するステップをさらに含む、請求項１４に記載の方法。
【請求項２１】
三個の光弁を含む変調する手段を提供するステップをさらに含む、請求項１４に記載の方法。
【請求項２２】
マイクロレンズアレイを含む透過型の光弁を含む変調する手段を提供するステップをさらに含む、請求項１４に記載の方法。
【請求項２３】
マイクロカラーフィルターパターンを含む透過型の光弁を含む変調する手段を提供するステップをさらに含む、請求項１４に記載の方法。
【請求項２４】
異なる色の光で前記光弁を時間的に連続して照明する手段を提供するステップをさらに含む、請求項１４に記載の方法。
【請求項２５】
前記光弁にわたって掃引する着色した光のスポットによって前記光弁を照明する手段を提供するステップをさらに含む、請求項１４に記載の方法。
【請求項２６】
当該方法は、光弁を含む変調する手段を提供するステップをさらに含み、
前記光弁は、前記光弁の異なるピクセルに異なる色の光を集束させるように配置された光学素子の配列を含む、請求項１４に記載の方法。
【発明の詳細な説明】
【技術分野】
【０００１】
本特許出願は、投射型映像表示デバイスの分野に、特に色の調節を可能にする投射型映像表示デバイスに、及びこのような色の調節の方法に、関する。
【背景技術】
【０００２】
今日、赤色の光、青色の光、及び緑色の光を変調するための三つの液晶の光弁を有する多くの投射型映像表示デバイスは、Ｅｕｒｏｐｅａｎ  Ｂｒｏａｄｃａｓｔｉｎｇ  Ｕｎｉｏｎ（ＥＢＵ）によって提唱された規格に従う色の再生を行うことができない。これは、特に、規格Ｄ６５の白色点の再生に当てはまり、結果として生じる映像がしばしば最適なものから程遠い理由である。
【０００３】
一つの先行技術のアプローチは、特許文献１に開示され、それは、高い輝度を備えた表示モードと高品質の色再生モードとの間で切り換えることができる投射型映像表示デバイスを提案する。この先行技術のアプローチに従って、光源からの光線は、積分器レンズ又はあるレンズによって集光され、且つ、二色性ミラーによって三原色に分光的に分割されて、三つの液晶パネルを照明すると共に、変調された光線は、二色性プリズムによって合成され、且つ、投射レンズによってスクリーンに投射される。三原色の各々の色の波長範囲の端の部分を切り取るような特性を有するフィルターが、液晶パネルが、高い純度を備えた色の光で照射されるように、色の高品質の再生についての分光的な分割より先に、光路へ挿入される。高い輝度を備えた画像の表示について、フィルターは、液晶パネルが、各々の色の波長範囲の全体における光線で照射されるように、光路から回収される。
【０００４】
しかしながら、この先行技術のアプローチは、所定の色純度の補正を可能にするのみである。
【特許文献１】特開２００１−１７４７７４号公報
【発明の開示】
【課題を解決するための手段】
【０００５】
よって、本発明の目的は、選択的な色の調節を可能にする、改善された投射型の映像表示デバイスを提供することである。
【０００６】
この目的は、赤色、青色、又は緑色の光のいずれか一つを選択的に通過させると共に選択的に反射させる特性を有する少なくとも一つの二色性フィルターを、それが、少なくとも部分的に、前記投射型映像表示デバイス内の白色光の光束についての光路へ挿入可能であると共にその光路から回収可能であるように、提供することによって、達成される。
【０００７】
本発明の別の目的は、投射型映像表示における選択的な色の調節のための改善された方法を提供することである。
【０００８】
この目的は、赤色、青色、又は緑色の光のいずれか一つを選択的に通過させると共に選択的に反射させる特性を有する少なくとも一つの二色性フィルターを、それが、少なくとも部分的に、前記投射型映像表示デバイス内の白色光の光束についての光路へ挿入可能であると共にその光路から回収するように、提供する方法によって達成される。
【０００９】
なお、本発明の他の目的及び特徴は、添付する図面と併せて、考慮された次の詳細な説明から明らかになると思われる。しかしながら、図面が、単に、説明の目的に予定され、且つ、本発明の限定の定義のようなものではなく、そのために、添付した請求項を参照するべきであることは、理解されることである。さらに、図面が、共通に尺度を持つようには必ずしも描かれないことは、及び、他に示してない限り、それらが、単に、ここに記載した構造及び手順を概念的に説明することが意図されることは、理解されるべきである。
【発明を実施するための最良の形態】
【００１０】
図面において、同様の符号は、いくつかの図のいたるところで類似の要素を示す。
【００１１】
次の記載において、本発明は、三個の光弁の投射型表示デバイスを参照して解明されると共に例示されることになる。しかしながら、本発明は、また、単一の光弁の投射型表示デバイスに適用可能である。これらの単一の光弁の投射型表示デバイスは、モザイクのフィルターパターンを伴った単一の透過型の液晶ディスプレイ（ＬＣＤ）の光弁を含む投射システム、連続した色の発生、例えばカラー・ホイールを伴った反射型のディジタル・マイクロミラー・デバイス（ＤＭＤ）の光弁を含む投射システム、連続した色の発生、例えばカラー・ホイール又はスクローリングバーを伴った反射型のシリコン上の液晶（ＬＣＯＳ）の光弁を含む投射システム、マイクロレンズアレイ又はマイクロカラーフィルターパターンを含む透過型の光弁を含む投射システム、異なる色の光で時間的に連続して照明される又は光弁にわたって掃引する着色した色のスポットによって照明されるように配置された光弁を含む投射システム、及び、光弁の異なるピクセルに異なる色の光を集束させるように配置された光学素子の配列を含む光弁を含む投射システムを含むが、それら投射システムに限定されない。また、本発明は、白色を変化させるために、単色の投射システム、例えば、黒白の投射システムに適用可能である。
【００１２】
図１は、本発明の用途に適した一般的な実施形態による投射型表示デバイスの基本的構成を示す概念図である。投射型表示デバイスは、主として、ハロゲンランプ、ハロゲン化金属ランプ、超高圧水銀ランプ、又は類似のランプのような光源１を含む。さらに、それは、それから放出される白色の光束を、三原色、赤色、青色、及び緑色の有色の光束に分離するための、二色性ミラーのような有色の光を分離する手段２ａ、２ｂを含む。三個の液晶の光弁３Ｒ、３Ｇ、３Ｂが、各々の色の分離された光束を光学的に変調するために、提供される。これらの液晶の光弁３Ｒ、３Ｇ、３Ｂを通じて光学的に変調された色の変調された光束を組み合わせるための、二色性プリズムのような、有色の光を組み合わせる手段４は、提供される。投射レンズ５は、（示さない）投射スクリーンに、組み合わせられた変調された光束を拡大すると共に投射するために、提供される。光束の光路を、細い実線を使用して、図１に説明する。
【００１３】
画像が、投射スクリーンに拡大されると共に投射されるまでの工程を以下に記載する。
【００１４】
光源１から放出された白色光の光束は、第一のレンズ６で構成される、照明光学系を通過すると共に、赤色の光を通過させると共に緑色及び青色の光を反射させる第一の二色性ミラー２ａに向かって進む。
【００１５】
第一の二色性ミラー２ａを通過する赤色の光は、第一の反射ミラー７ａによって、反射させられ、且つ、液晶の光弁の変調する手段３Ｒに到達する。緑色の光は、緑色の光を反射させると共に青色の光を通過させる第二の二色性ミラー２ｂによって反射され、且つ、液晶の光弁の変調手段３Ｇに到達する。
【００１６】
青色の光は、第二の二色性ミラー２ｂを通過し、且つ、第二の反射ミラー７ｂによって反射させられ、第一のリレーレンズ８を通じてもたらせられ、且つ、第三の反射ミラー７ｃによって反射させられ、且つ、液晶の光弁の変調する手段３Ｂに到達する。ここで、色に対応する映像信号に従って液晶の光弁の変調する手段３Ｒ、３Ｇ、３Ｂによって変調された有色の光は、二色性プリズムの有色の光を組み合わせる手段４に進入させられる。
【００１７】
液晶の光弁の変調する手段３Ｒ、３Ｇ、及び３Ｂによって、色に対応する映像信号に従って変調された有色の光は、二色性プリズムの有色の光を組み合わせる手段４によって、組み合わせられ、且つ、投射光学手段である投射レンズ５を通じて（示さない）投射スクリーンに投射される。
【００１８】
投射型表示デバイスの色の調節を容易にするために、少なくとも部分的に、前記白色光の光束の光路へ、好ましくは、図１に破線によって説明された枠９によって定義された領域に、挿入可能な且つその光路から回収可能な、赤色、青色、又は緑色の光のいずれか一つを選択的に通過させると共に選択的に反射させる特性を有する少なくとも一つの二色性の空間的に定義された色選択フィルターが、配置される。
【００１９】
このようなフィルターの挿入を通じて、いずれか一つの色についての瞳の大きさを、関連した液晶の光弁の変調する手段３Ｒ、３Ｇ、３Ｂにおける照明の角度を、この色に関して減少させるように、減少することができる。例えば、青色及び緑色の光についての瞳の大きさを、減少させる、すなわち、フィルターが、前記の白色の光束における青色及び緑色の光の寄与を部分的に反射させるように、あるフィルター又は一組みのフィルターが、部分的に挿入されるとすれば、色は、通常、所望のＤ６５の白色点に向かった結果として生じる白色の偏移が起こることになるように、調節されることになる。
【００２０】
図２は、説明したような一つのフィルター１０、又は、少なくとも部分的に、一方の側からの前記白色光の光束の光路へ挿入可能な且つその光路から回収可能な、例えば、水平な若しくは垂直な方向又はそれらの間における任意の方向のいずれかにおける前記白色の光束の光路へ挿入可能な、赤色、青色、及び緑色の光のいずれか一つ若しくは各々を反射させるための数個の別個のフィルターが、配置される、フィルター構成の第一の実施形態を説明する。図２に説明したフィルターは、好ましくは、青色及び緑色の光を反射させるものである。それによって、青色の光及び緑色の光についての液晶の光弁の変調する手段３Ｂ、３Ｇにおける照明の角度を、これらの色の光束の光路を図説する、図２の破線によって説明したように、減少させることになる。
【００２１】
図３は、ここでは一つのフィルターによって説明される、各々のフィルターが、同時に、異なる側からの前記白色光の光束の光路へ挿入可能であると共にその光路から回収可能であるように配置された少なくとも二つの部材１０ａ、１０ｂで構成される、フィルター構成の代替の実施形態を説明する。それによって、液晶の光弁の変調する手段３Ｒ、３Ｇ、３Ｂに向かった光束を、互いに対してより近い各々のフィルターの対応するフィルター部材１０ａ、１０ｂを調節すること、それらの間におけるスリットの開口を調節することによって、赤色、青色、若しくは緑色の光のいずれか一つ又はそれらの任意の組み合わせについて、減少させることができる。再度、図３に説明したフィルターは、好ましくは、青色及び緑色の光を反射させるものである。それによって、青色及び緑色の光についての液晶の光弁の変調する手段３Ｂ、３Ｇにおける照明の角度を、これらの色の光束の光路を説明する、図３に破線によって説明したように、減少させることになる。
【００２２】
図４は、ここでは一つのフィルター１０ｃによって説明される、各々のフィルターが、前記白色光の光束の光路へ十分に挿入可能であるように配置される、フィルター構成のさらなる代替の実施形態を説明する。この実施形態によれば、各々のフィルター１０ｃは、赤色、青色、若しくは緑色の光のいずれか一つ又はこれらの色の光の二つ以上の任意の組み合わせを反射させる領域１０ｃ２によって囲まれた中央の白色光の透過領域１０ｃ１を含む。それによって、白色光を通過させるための開口が、提供されると共に、同時に、液晶の光弁の変調する手段３Ｒ、３Ｇ、３Ｂに向かった光束を、赤色、青色、若しくは緑色の光のいずれか一つ又はそれらの任意の組み合わせについて、対応するフィルター１０ｃ又はフィルターの組み合わせを、前記白色の光束の経路に十分に挿入することを通じて、
減少させることができる。中央の白色光の透過領域１０ｃ１と周囲の反射する領域１０ｃ２との関係は、好ましくは、色の寄与が白色点を規格Ｄ６５白色点に等しくするような方式で、適合させられる。しかしながら、当業者に明らかであると思われるが、この配置もまた、投射型表示デバイスの白色点を他の値に向かって調節するために、使用することができる。数個のフィルターを積み重ねることによって、各々の色の寄与を、正確に調節することができると共に、照明の角度を、好適なシステムの白色点に向かって、各々の色のチャンネルについて、最適化することができる。重ねて、図４に説明したフィルターは、好ましくは、青色及び緑色の光を反射させるものである。それによって、青色及び緑色の光についての液晶の光弁の変調する手段３Ｂ、３Ｇにおける照明の角度を、これらの色の光束の光路を説明する図４に破線によって説明したように、減少させることになる。
【００２３】
図５は、投射型映像表示デバイスが、積分器光学部品１１、例えば、前記白色の光束の光路に配置された、板レンズ積分器又はロッド積分器をさらに含む、フィルター構成のさらなる代替の実施形態を説明する。この実施形態によれば、前記単数又は複数のフィルターは、前記積分器の光学部品１１の近傍に、好ましくは図５において破線によって説明された枠９によって定義された領域に、配置される。板レンズ積分器の場合には、単数又は複数のフィルターを、前記板レンズ積分器の直前若しくは直後に、又は、前記白色の光束の方向で見ると、一つ以上のフィルターが前記板レンズ積分器の上流に配置されると共に前記板レンズ積分器の一つ以上のフィルターが下流に配置されるような方式でさえ、配置することができる。あるいは、ロッド積分器の場合には、単数又は複数のフィルターを、前記ロッド積分器の入射開口に配置させることができる。
【００２４】
以後、一つの方向に白色光の光束を放出するための光源１、前記光源１からの白色光を、赤色、青色、及び緑色の光の、三つの有色の光に分離するための有色の光を分離する手段２ａ、２ｂ、前記有色の光を分離する手段２ａ、２ｂからの光束に含まれる光を変調すると共に映像を生じさせるための液晶の光弁を含む変調する手段３Ｒ、３Ｇ、３Ｂ、前記変調する手段３Ｒ、３Ｇ、３Ｂによって変調された後の変調された光束を組み合わせるための有色の光を組み合わせる手段４、及び、前記有色の光を組み合わせる手段４によって得られた、組み合わせられた光束を、投射スクリーンに投射するための投射光学手段５を含む、投射型映像表示デバイスの色の調節についての方法を記載することにする。上述した実施形態のいずれか一つによれば、その方法は、赤色、青色、又は緑色の光のいずれか一つを選択的に通過させると共に選択的に反射させる特性を有する少なくとも一つの二色性の空間的に定義された色選択フィルターを、それが、少なくとも部分的に、前記白色光の光束の光路へ挿入可能であると共にその光路から回収可能であるように、提供するステップを含む。
【００２５】
さらなる実施形態において、その方法は、前記白色光の光束の経路に積分器光学部品１１を提供すると共に前記積分器光学部品の近傍に前記単数又は複数のフィルターを配置するステップをさらに含む。
【００２６】
またさらなる実施形態において、その方法は、それぞれ、赤色、青色、及び緑色の光のいずれか一つを選択的に通過させると共に選択的に反射させるための一つの別個のフィルターを提供するステップを含む。
【００２７】
なおさらなる実施形態において、その方法は、フィルターを提供するステップを含み、それらのフィルターの各々は、それらが、同時に、異なる側からの前記白色光の光束の光路へ挿入可能であると共にその光路から回収可能であるような方式で配置された少なくとも二つの部材１０ａ、１０ｂで構成される。
【００２８】
追加のさらなる実施形態において、その方法は、各々のフィルターが、赤色、青色、若しくは緑色の光のいずれか一つ又はこれらの色の光の二つ以上の任意の組み合わせを反射させる領域１０ｃ２によって囲まれた中央の白色光の透過領域１０ｃ１を含む、前記白色光の光束の光路へ十分に挿入可能であるように配置される単数又は複数のフィルターを提供するステップを含む。
【００２９】
またさらなる実施形態において、その方法は、二個又は三個の光弁を含む変調する手段を提供するステップを含む。
【００３０】
なおさらなる実施形態において、その方法は、マイクロレンズアレイ又はマイクロカラーパターンのいずれかを含む透過型の光弁を含む変調する手段を提供するステップを含む。
【００３１】
また追加のさらなる実施形態において、その方法は、
異なる色の光で時間的に連続してか、又は、前記光弁にわたって掃引する着色した光のスポットによってかのいずれかで、前記光弁を照明する手段を提供するステップを含む。
【００３２】
なお追加のさらなる実施形態において、その方法は、前記光弁における異なるピクセルに異なる色の光を集束させるように配置された光学素子の配列を含む光弁を含む変調する手段を提供するステップを含む。
【００３３】
上で説明したように、選択的な色の調節が容易に達成可能である、投射型映像表示デバイス及び投射型映像表示デバイスの色の調節のための方法を記載してきた。単数又は複数のフィルターが光路から十分に回収されるとき、光が遮断されず且つ液晶の光弁の変調する手段が十分な光束で照射され、高い輝度の表示を提供すると、通常存在する投射型映像表示デバイスの一般的な利点は、たいてい維持される。波長を制限するフィルターの十分な挿入を通じた所定の色純度の補正のみを可能にする、先に議論した先行技術のアプローチと比較して、本発明によるアプローチは、好都合である。本発明は、投射型映像表示デバイスにおける選択的な色の調節を提供することによって、このような先行技術のアプローチのこれらの制限を除去する。
【００３４】
このように、好適な実施形態に適用されるような本発明の根本的な新規の特徴を示して、記載して、及び指摘してきた一方で、
説明したデバイスの形態及び詳細における並びにそれらの動作における様々な省略及び置換及び変化が、本発明の主旨から逸脱することなく、当業者によってなされてもよいことは、理解されると思われる。例えば、同じ結果を達成するために実質的に同じ方式で実質的に同じ機能を行う、それらの要素及び／又は方法のステップの全ての組み合わせが、本発明の範囲内にあることが、明白に意図される。さらに、本発明のいずれの開示された形態又は実施形態とも関連して示した及び／又は記載した構造及び／又は要素及び／又は方法のステップを、設計の選択の一般的な事項として、任意の他の開示された又は記載された又は示唆された形態又は実施形態に組み込んでもよいことが、認識されるべきである。従って、この文書に添付した特許請求の範囲によって示されるようにのみ限定されることが意図である。
【図面の簡単な説明】
【００３５】
【図１】本発明の一般的な実施形態による投射型映像表示デバイスの概略図を開示する。
【図２】図１による本発明の一般的な実施形態による投射型映像表示デバイスのフィルターの構成の第一の実施形態の概略図を開示する。
【図３】図１による本発明の一般的な実施形態による投射型映像表示デバイスのフィルターの構成の第二の実施形態の概略図を開示する。
【図４】図１による本発明の一般的な実施形態による投射型映像表示デバイスのフィルターの構成の第三の実施形態の概略図を開示する。
【図５】図１による本発明の一般的な実施形態による投射型映像表示デバイスのフィルターの構成の第四の実施形態の概略図を開示する。
【図１】
2006510928.tif 000003
【図２】
2006510928.tif 000004
【図３】
2006510928.tif 000005
【図４】
2006510928.tif 000006
【図５】
2006510928.tif 000007
【国際調査報告】
2006510928.tif 000008
2006510928.tif 000009
2006510928.tif 000010